【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
コンピューティングデバイスにおいて、
少なくとも第１のモバイルデバイスのための第１の利用履歴の少なくとも一部分を取得することと、
特定の環境に関する第２のモバイルデバイスによる潜在的使用のためのアプリケーションのリストを識別するために、前記第１の利用履歴の少なくとも前記一部分に少なくとも部分的に基づいて、複数のモバイルデバイスアプリケーションにコンテキストアウェアフィルタを適用することと、
第１のイベントに応答して、前記第１の利用履歴の少なくとも前記一部分に少なくとも部分的に基づいて、前記第２のモバイルデバイスによる使用のための前記アプリケーションのリスト中で識別されたアプリケーションを差し出すことと、
第２のイベントに応答して、前記第１の利用履歴の少なくとも前記一部分に少なくとも部分的に基づいて、前記第２のモバイルデバイスによる使用のための前記アプリケーションを取り下げるかどうかを決定することと
を備える、方法。
【請求項２】
前記コンテキストアウェアフィルタは、
前記特定の環境に対応するロケーションプロファイル、
前記第２のモバイルデバイスに対応するユーザプロファイル、
第２のモバイルデバイスプロファイル、またはそれらの任意の組合せ
のうちの少なくとも１つに少なくとも部分的にさらに基づく、請求項１に記載の方法。
【請求項３】
前記コンピューティングデバイスにおいて、
前記ロケーションプロファイル、前記ユーザプロファイル、前記第２のモバイルデバイスプロファイル、前記第１の利用履歴、またはそれらの任意の組合せを維持することをさらに備える、
請求項２に記載の方法。
【請求項４】
前記コンピューティングデバイスにおいて、
前記少なくとも１つの他の第１のモバイルデバイスから前記複数のモバイルデバイスアプリケーションのうちの少なくとも１つのための第２の利用履歴の少なくとも一部分を取得することと、
前記第２の利用履歴の少なくとも前記一部分に少なくとも部分的に基づいて、前記ロケーションプロファイル、前記ユーザプロファイル、前記第２のモバイルデバイスプロファイル、またはそれらの任意の組合せのうちの少なくとも１つに影響を及ぼすことと
をさらに備える、請求項３に記載の方法。
【請求項５】
前記コンテキストアウェアフィルタを適用すること、前記アプリケーションを差し出すこと、前記アプリケーションを取り下げるかどうかを決定すること、またはそれらの任意の組合せのうちの少なくとも１つは、前記複数のモバイルデバイスアプリケーションのうちの１つまたは複数に対応する第２の利用履歴の少なくとも一部分に少なくとも部分的に基づく、
請求項１に記載の方法。
【請求項６】
前記第２の利用履歴の少なくとも前記一部分は、１つまたは複数の第１のモバイルデバイスのためのものである、
請求項５に記載の方法。
【請求項７】
前記特定の環境は、ローカルワイヤレスネットワークプレゼンス、特定の企業、特定の開催地、ロケーションコンテキスト識別子（ＬＣＩ）、屋内環境、またはそれらの任意の組合せのうちの少なくとも１つに対応する、
請求項１に記載の方法。
【請求項８】
前記アプリケーションを差し出すことは、前記アプリケーションのリストを前記第２のモバイルデバイスに提供することを備える、
請求項１に記載の方法。
【請求項９】
前記アプリケーションを差し出すことは、前記アプリケーションの少なくとも一部分を前記第２のモバイルデバイスに提供すること、または前記アプリケーションの少なくとも前記一部分を前記第２のモバイルデバイスに提供することが可能なリソースデバイスを識別すること、またはそれらの任意の組合せのうちの少なくとも１つを備える、
請求項１に記載の方法。
【請求項１０】
前記アプリケーションを差し出すことは、前記第２のモバイルデバイスにおいて前記アプリケーションのアクティブ化を開始することを備える、
請求項１に記載の方法。
【請求項１１】
前記アプリケーションが取り下げられる場合、前記アプリケーションは、前記第２のモバイルデバイスにおいて前記アプリケーションの非アクティブ化を開始することを備える、
請求項１に記載の方法。
【請求項１２】
前記コンピューティングデバイスにおいて、
リソースデバイスから前記アプリケーションを取得することと、
前記コンピューティングデバイスにおいて前記アプリケーションをメモリに記憶することと
をさらに備える請求項１に記載の方法。
【請求項１３】
少なくとも１つの他の第１のモバイルデバイスのための第１の利用履歴の少なくとも一部分を取得するための手段と、
特定の環境に関する第２のモバイルデバイスによる潜在的使用のためのアプリケーションのリストを識別するために、前記第１の利用履歴の少なくとも前記一部分に少なくとも部分的に基づいて、複数のモバイルデバイスアプリケーションにコンテキストアウェアフィルタを適用するための手段と、
第１のイベントに応答して、前記第１の利用履歴の少なくとも前記一部分に少なくとも部分的に基づいて、前記第２のモバイルデバイスによる使用のための前記アプリケーションのリスト中で識別されたアプリケーションを差し出すための手段と、
第２のイベントに応答して、前記第２のモバイルデバイスによる使用のための前記アプリケーションを取り下げるかどうかを決定するための手段と
を備える、装置。
【請求項１４】
前記コンテキストアウェアフィルタは、
前記特定の環境に対応するロケーションプロファイル、
前記第２のモバイルデバイスに対応するユーザプロファイル、
第２のモバイルデバイスプロファイル、またはそれらの任意の組合せ
のうちの少なくとも１つに少なくとも部分的にさらに基づく、請求項１３に記載の装置。
【請求項１５】
前記ロケーションプロファイルを維持するための手段、
前記ユーザプロファイルを維持するための手段、
前記第２のモバイルデバイスプロファイルを維持するための手段、または
前記第１の利用履歴を維持するための手段、またはそれらの任意の組合せ
のうちの少なくとも１つをさらに備える、請求項１４に記載の装置。
【請求項１６】
前記少なくとも１つの他の第１のモバイルデバイスから前記複数のモバイルデバイスアプリケーションのうちの少なくとも１つのための第２の利用履歴の少なくとも一部分を取得するための手段と、
前記第２の利用履歴の少なくとも前記一部分に少なくとも部分的に基づいて、前記ロケーションプロファイル、前記ユーザプロファイル、または前記第２のモバイルデバイスプロファイル、またはそれらの任意の組合せのうちの少なくとも１つに影響を及ぼすための手段と
をさらに備える、請求項１５に記載の装置。
【請求項１７】
前記コンテキストアウェアフィルタを前記適用するための手段、前記アプリケーションを前記差し出すための手段、または前記アプリケーションを取り下げるかどうかを前記決定するための手段、またはそれらの任意の組合せのうちの少なくとも１つが、前記複数のモバイルデバイスアプリケーションのうちの１つまたは複数に対応する第２の利用履歴の少なくとも一部分に少なくとも部分的に応答する、
請求項１３に記載の装置。
【請求項１８】
前記第２の利用履歴の少なくとも前記一部分は、１つまたは複数の第１のモバイルデバイスのためのものである、
請求項１７に記載の装置。
【請求項１９】
前記特定の環境は、ローカルワイヤレスネットワークプレゼンス、特定の企業、特定の開催地、ロケーションコンテキスト識別子（ＬＣＩ）、屋内環境、またはそれらの任意の組合せのうちの少なくとも１つに対応する、
請求項１３に記載の装置。
【請求項２０】
前記アプリケーションのリストを前記第２のモバイルデバイスに提供するための手段をさらに備える、
請求項１３に記載の装置。
【請求項２１】
前記アプリケーションの少なくとも一部分を前記第２のモバイルデバイスに提供するための手段、または前記アプリケーションの少なくとも前記一部分を前記第２のモバイルデバイスに提供することが可能なリソースデバイスを識別するための手段、またはそれらの任意の組合せ
のうちの少なくとも１つをさらに備える、請求項１３に記載の装置。
【請求項２２】
前記第２のモバイルデバイスにおいて前記アプリケーションのアクティブ化を開始するための手段をさらに備える、
請求項１３に記載の装置。
【請求項２３】
前記第２のモバイルデバイスにおいて前記アプリケーションの非アクティブ化を開始するための手段をさらに備える、
請求項１３に記載の装置。
【請求項２４】
リソースデバイスから前記アプリケーションを取得するための手段と、
前記アプリケーションを記憶するための手段と
をさらに備える、請求項１３に記載の装置。
【請求項２５】
メモリと、
ネットワークインターフェースユニットと、
前記メモリおよび前記ネットワークインターフェースユニットに結合される処理ユニットと
を備え、前記処理ユニットは、
少なくとも１つの他の第１のモバイルデバイスのための第１の利用履歴の少なくとも一部分を取得することと、
特定の環境に関する第２のモバイルデバイスによる潜在的使用のためのアプリケーションのリストを識別するために、前記第１の利用履歴の少なくとも前記一部分に少なくとも部分的に基づいて、複数のモバイルデバイスアプリケーションにコンテキストアウェアフィルタを適用することと、
第１のイベントに応答して、前記第２のモバイルデバイスへの前記ネットワークインターフェースユニットを介した第１のインジケーションの送信を開始すること、前記第１のインジケーションは、前記第１の利用履歴の少なくとも前記一部分に少なくとも部分的に基づいて、前記第２のモバイルデバイスによる使用のための前記アプリケーションのリスト中で識別されたアプリケーションを差し出すためのものである、と、
第２のイベントに応答して、前記第２のモバイルデバイスへの前記ネットワークインターフェースユニットを介した第２のインジケーションの送信を開始すること、前記第２のインジケーションが、前記第１の利用履歴の少なくとも前記一部分に少なくとも部分的に基づいて、前記第２のモバイルデバイスによる使用のための前記アプリケーションを取り下げるかどうかを決定するためのものである、と
を行うように構成される、コンピューティングデバイス。
【請求項２６】
前記コンテキストアウェアフィルタは、
前記特定の環境に対応するロケーションプロファイル、
少なくとも１つの第１のモバイルデバイスに対応するユーザプロファイル、または
第２のモバイルデバイスプロファイル、またはそれらの任意の組合せ
のうちの少なくとも１つに少なくとも部分的に基づく、請求項２５に記載のコンピューティングデバイス。
【請求項２７】
前記処理ユニットは、
前記メモリにおいて、前記ロケーションプロファイル、前記ユーザプロファイル、前記第２のモバイルデバイスプロファイル、または前記第１の利用履歴のうちの少なくとも１つを維持することを行うようにさらに構成される、
請求項２６に記載のコンピューティングデバイス。
【請求項２８】
前記処理ユニットは、
前記ネットワークインターフェースユニットを介して少なくとも１つの他の第１のモバイルデバイスから前記複数のモバイルデバイスアプリケーションのうちの少なくとも１つのための第２の利用履歴の少なくとも前記一部分を取得することと、
前記第２の利用履歴の少なくとも前記一部分に少なくとも部分的に基づいて、前記ロケーションプロファイル、前記ユーザプロファイル、または前記第２のモバイルデバイスプロファイル、またはそれらの任意の組合せのうちの少なくとも１つに影響を及ぼすことと
を行うようにさらに構成される、請求項２７に記載のコンピューティングデバイス。
【請求項２９】
前記処理ユニットは、
前記複数のモバイルデバイスアプリケーションのうちの１つまたは複数に対応する第２の利用履歴の少なくとも一部分に少なくとも部分的に基づいて、前記コンテキストアウェアフィルタを適用すること、前記第１のインジケーションの送信を開始すること、または前記第２のインジケーションの送信を開始すること、またはそれらの任意の組合せ
を行うようにさらに構成される、請求項２５に記載のコンピューティングデバイス。
【請求項３０】
前記第２の利用履歴の少なくとも前記一部分は、１つまたは複数の第１のモバイルデバイスのためのものである、
請求項２９に記載のコンピューティングデバイス。
【請求項３１】
前記特定の環境は、ローカルワイヤレスネットワークプレゼンス、特定の企業、特定の開催地、ロケーションコンテキスト識別子（ＬＣＩ）、または屋内環境、またはそれらの任意の組合せのうちの少なくとも１つに対応する、
請求項２５に記載のコンピューティングデバイス。
【請求項３２】
前記処理ユニットは、
前記第２のモバイルデバイスによる使用のための前記アプリケーションのリスト中で識別された前記アプリケーションを差し出すために、前記ネットワークインターフェースユニットを介した前記第２のモバイルデバイスへの前記アプリケーションのリストの送信を開始することを行うようにさらに構成される、
請求項２５に記載のコンピューティングデバイス。
【請求項３３】
前記処理ユニットは、
前記第２のモバイルデバイスへの前記アプリケーションの少なくとも一部分、または
前記第２のモバイルデバイスに前記アプリケーションの少なくとも前記一部分を提供することが可能なリソースデバイスの識別情報、またはそれらの任意の組合せ
のうちの少なくとも１つの、前記ネットワークインターフェースユニットを介した送信を開始することを行うようにさらに構成される、
請求項２５に記載のコンピューティングデバイス。
【請求項３４】
前記第１のインジケーションは、前記第２のモバイルデバイスにおける前記アプリケーションのアクティブ化のためのパーミッションを示す、
請求項２５に記載のコンピューティングデバイス。
【請求項３５】
前記第２のインジケーションは、前記第２のモバイルデバイスにおける前記アプリケーションの非アクティブ化のためのパーミッションを示す、
請求項２５に記載のコンピューティングデバイス。
【請求項３６】
前記処理ユニットは、
前記ネットワークインターフェースユニットを介してリソースデバイスから前記アプリケーションを取得することと、
前記メモリにおける前記アプリケーションの記憶を開始することと
を行うようにさらに構成される、請求項２５に記載のコンピューティングデバイス。
【請求項３７】
少なくとも１つの他の第１のモバイルデバイスのための第１の利用履歴の少なくとも一部分を取得することと、
特定の環境に関する第２のモバイルデバイスによる潜在的使用のためのアプリケーションのリストを識別するために、前記第１の利用履歴の少なくとも前記一部分に少なくとも部分的に基づいて、複数のモバイルデバイスアプリケーションにコンテキストアウェアフィルタを適用することと、
第１のイベントに応答して、前記モバイルデバイスへの第１のインジケーションの送信を開始すること、前記第１のインジケーションは、前記第１の利用履歴の少なくとも前記一部分に少なくとも部分的に基づいて、前記第２のモバイルデバイスによる使用のための前記アプリケーションのリスト中で識別されたアプリケーションを差し出すためのものである、と、
第２のイベントに応答して、前記モバイルデバイスへの第２のインジケーションの送信を開始すること、前記第２のインジケーションは、前記第１の利用履歴の少なくとも前記一部分に少なくとも部分的に基づいて、前記第２のモバイルデバイスによる使用のための前記アプリケーションを取り下げるかどうかを決定するためのものである、と
を行うためにコンピューティングデバイスの処理ユニットによって実行可能なコンピュータ実装可能命令を記憶した非一時的コンピュータ可読媒体を備える、
物品。
【請求項３８】
前記コンテキストアウェアフィルタは、
前記特定の環境に対応するロケーションプロファイル、
少なくとも１つの第２のモバイルデバイスに対応するユーザプロファイル、または
第２のモバイルデバイスプロファイル、
またはそれらの任意の組合せ
のうちの少なくとも１つに少なくとも部分的に基づく、請求項３７に記載の物品。
【請求項３９】
前記コンピュータ実装可能命令は、
前記ロケーションプロファイル、前記ユーザプロファイル、前記第２のモバイルデバイスプロファイル、または前記第１の利用履歴、またはそれらの任意の組合せを維持することを行うために前記処理ユニットによってさらに実行可能である、
請求項３８に記載の物品。
【請求項４０】
前記コンピュータ実装可能命令は、
少なくとも１つの他の第１のモバイルデバイスから前記複数のモバイルデバイスアプリケーションのうちの少なくとも１つのための第２の利用履歴の少なくとも前記一部分を取得することと、
前記第２の利用履歴の少なくとも前記一部分に少なくとも部分的に基づいて、前記ロケーションプロファイル、前記ユーザプロファイル、または前記第２のモバイルデバイスプロファイル、またはそれらの任意の組合せのうちの少なくとも１つに影響を及ぼすことと
を行うために前記処理ユニットによってさらに実行可能である、請求項３９に記載の物品。
【請求項４１】
前記コンピュータ実装可能命令は、
前記複数のモバイルデバイスアプリケーションのうちの１つまたは複数に対応する第２の利用履歴の少なくとも一部分に少なくとも部分的に基づいて、前記コンテキストアウェアフィルタを適用すること、前記第１のインジケーションの送信を開始すること、または前記第２のインジケーションの送信を開始すること、またはそれらの任意の組合せ
を行うために前記処理ユニットによってさらに実行可能である、請求項３７に記載の物品。
【請求項４２】
前記第２の利用履歴の少なくとも前記一部分は、１つまたは複数の第１のモバイルデバイスのためのものである、
請求項４１に記載の物品。
【請求項４３】
前記特定の環境は、ローカルワイヤレスネットワークプレゼンス、特定の企業、特定の開催地、ロケーションコンテキスト識別子（ＬＣＩ）、または屋内環境、またはそれらの任意の組合せのうちの少なくとも１つに対応する、
請求項３７に記載の物品。
【請求項４４】
前記コンピュータ実装可能命令は、
前記第２のモバイルデバイスによる使用のための前記アプリケーションのリスト中で識別された前記アプリケーションを差し出すために、前記第２のモバイルデバイスへの前記アプリケーションのリストの送信を開始することを行うために前記処理ユニットによってさらに実行可能である、
請求項３７に記載の物品。
【請求項４５】
前記コンピュータ実装可能命令は、
前記第２のモバイルデバイスへの前記アプリケーションの少なくとも一部分、または
前記第２のモバイルデバイスに前記アプリケーションの少なくとも前記一部分を提供することが可能なリソースデバイスの識別情報、またはそれらの任意の組合せ
のうちの少なくとも１つの送信を開始することを行うために前記処理ユニットによってさらに実行可能である、
請求項３７に記載の物品。
【請求項４６】
前記第１のインジケーションは、前記第２のモバイルデバイスにおける前記アプリケーションのアクティブ化のためのパーミッションを示す、
請求項３７に記載の物品。
【請求項４７】
前記第２のインジケーションは、前記第２のモバイルデバイスにおける前記アプリケーションの非アクティブ化のためのパーミッションを示す、
請求項３７に記載の物品。
【請求項４８】
前記コンピュータ実装可能命令は、
リソースデバイスから前記アプリケーションを取得することと、
前記アプリケーションの記憶を開始することと
を行うために前記処理ユニットによってさらに実行可能である、請求項３７に記載の物品。
【請求項４９】
前記コンピューティングデバイスは、物理的に前記特定の環境でロケートされ、前記特定の環境は、ローカルワイヤレスネットワークプレゼンスまたは開催地に対応する、請求項１に記載の方法。
【請求項５０】
前記コンピューティングデバイスは、前記特定の環境でロケートされたフェムトセル、ネットワークアクセスポイント、またはピコセルを備える、請求項１に記載の方法。